(57)【要約】  【課題】  複数本の脚を有するアジャスター付きテーブルにおいて、ほとんどの床において自動的にがたつきを解消することがでるようにすることを課題とする。  【解決手段】  複数本の脚と、これらの脚により支持される天板とを有するアジャスター付きテーブルとして、少なくとも直線状に並ぶ互いに隣接する一組の脚以外の脚の下端に、圧縮荷重により緩やかに変形するとともに、圧縮状態から無付加状態とすると緩やかに伸張する粘弾性体により形成されるアジャスターを設ける。【選択図】  図２
0003116289.tif 000002
【実用新案登録請求の範囲】
【請求項１】
複数本の脚と、これらの脚により支持される天板とを有し、
少なくとも直線状に並ぶ互いに隣接する一組の脚以外の脚の下端に、圧縮荷重により緩やかに変形するとともに、圧縮状態から無付加状態とすると緩やかに伸張する粘弾性体により形成されるアジャスターを設けた
アジャスター付きテーブル。
【請求項２】
全ての前記脚の下端に前記アジャスターを設けた請求項１に記載のアジャスター付きテーブル。
【考案の詳細な説明】
【技術分野】
【０００１】
本考案は、がたつきを防止するためのアジャスターを設けたテーブルに関する。
【背景技術】
【０００２】
テーブルの脚にはがたつきを防止したり、水平を保つためのアジャスターが設けられることがある。多くのアジャスターは、後端側にボルトを有しており、脚の先端部に設けられるナットに対して回転させることで突出量を変更できるようになっている。しかし、アジャスターの突出量を調整するためには、ほぼ床の高さの位置で作業をしなければならず、特に飲食店などで多くのテーブルを一度に設置するような場合には、労力負担が大きい。
これに対して、下記特許文献１には、調整脚として静荷重により潰れ、瞬発的な荷重では潰れない粘弾性体を用い、粘弾性体の性質により自動的に脚の長さを調整する発明が示されている。
【特許文献１】特開平７−２７１５８０号公報
【考案の開示】
【考案が解決しようとする課題】
【０００３】
しかし、上記特許文献１に記載の発明は、４本の脚の内の３本を固定脚とし、残りの一本を調整脚として粘弾性体を設けている。このために、床の状態によっては、３本の固定脚が床に設置した状態で、粘弾性体がもっとも伸びても調整脚が床に設置しない場合が生じる。このような状態となるとがたつきを生じ、調整脚は意味をなさなくなる。
本考案は、かかる問題に鑑みて、複数本の脚を有するアジャスター付きテーブルにおいて、ほとんどの床において自動的にがたつきを解消することがでるようにすることを課題とする。
【課題を解決するための手段】
【０００４】
上記課題を解決するために、本考案は次のような構成を有する。
請求項１に記載の考案は、複数本の脚と、これらの脚により支持される天板とを有し、
少なくとも直線状に並ぶ互いに隣接する一組の脚以外の脚の下端に、圧縮荷重により緩やかに変形するとともに、圧縮状態から無付加状態とすると緩やかに伸張する粘弾性体により形成されるアジャスターを設けたアジャスター付きテーブルである。なお、本請求項においては、前記アジャスターを直線状に並ぶ互いに隣接する一組の脚のうちの１以上に設ける場合が含まれる。また、「緩やかに」とは、少なくとも人ががたつきと感じる際の脚の移動速度よりも遅い速度であることを要する。粘弾性体としては、発泡ポリエチレン、発泡ポリプロピレンなどの発泡合成高分子が例示される。
請求項２に記載の考案は、前記アジャスター付きテーブルにおいて、全ての前記脚の下端に前記アジャスターを設けたものである。
【考案の効果】
【０００５】
請求項１に記載の考案は、少なくとも直線状に並ぶ互いに隣接する一組以外の脚の下端に圧縮荷重により緩やかに変形するとともに、圧縮状態から無付加状態とすると緩やかに伸張する粘弾性体により形成されるアジャスターを設けたので、アジャスターを設けていない脚は必ず直線状に並び安定しないので、アジャスターを設けた何れかの脚の方へ傾くこととなり、アジャスターを設けた少なくとも一部の脚のアジャスターは床に着くことになる。この際、アジャスターが床に設置していない脚がある場合、床に設置しているアジャスターの粘弾性体は荷重を受けて緩やかに縮む。やがて、床に設置していないアジャスターも床に達することとなり、すべてのアジャスターの粘弾性体の反発力と天板等の荷重が釣り合ったところで安定する。このような動作により、自動的に全ての脚の先端を床面に設置させることができ、また、粘弾性体は緩やかにしか変形しないので、テーブルの使用者が天板の移動をがたつきと感じることもない。
請求項２に記載の考案は、すべての脚の下端にアジャスターを設けることで、全ての脚が高さを調整できるので、がたつきが無くなることをより確実にすることができる。
【考案を実施するための最良の形態】
【０００６】
以下、本考案の実施形態について、図を参照しながら説明する。
図１に本実施形態１に係るアジャスター付きテーブルＸの斜視図を示す。本アジャスター付きテーブルＸは、天板１０と天板１０を支持する４本の脚２０とから構成される。
天板１０は木製の表面に合成樹脂板を張った正方形状の板体により構成される。脚２０は表面に防錆のためのメッキ加工が施された鉄製のパイプにより構成され、基端を天板１０に固定されている。そして、各脚２０の先端部には、アジャスター３０が設けられている。
【０００７】
図２に脚２０の先端部近傍の拡大縦断面図を示す。アジャスター３０は、上面が塞がれた円筒状の本体部３１と、本体部３１内部に本体部３１から所定長さはみ出す大きさの円筒形状の発泡ポリプロピレンから構成される粘弾性体３２、本体部３１の上面の中心に立設固定されるボルト３２とから構成される。粘弾性体３２の本体部３１先端からはみだす長さは、長ければそれだけ脚の長さを大きく調整できるが、長くなりすぎると安定性が悪くなるので、これらのバランスを考慮して適宜定められる。ここでは、本体部３１の半径を約１５ｍｍとして、約５ｍｍはみ出すように設定している。また、本体部３１の先端には内方へ向う張り出しが設けられ、粘弾性体３２は先端側の約半分のみが、この張り出しを通ることができる半径に形成されることで、粘弾性体３２は本体部３１から抜けないようになっている。なお、ボルト３３は脚２０先端中央に設けられるナット２１に係合し固定されている。
【０００８】
次に、以上のような構成を有するアジャスター付きテーブルＸの作用について説明する。使用者は、アジャスター付きテーブルＸを所望する床の上に設置する。多くの床は完全に平面ではなく、多少の凹凸があることが多い。このような凹凸のある床に設置された場合、当初は、いずれかの脚２０の先端が床面に接触し、残りの脚２０の先端は床面から離れることとなる。しかし、脚２０の先端のアジャスター３０には粘弾性体３２が設けられているので、床面に接触した粘弾性体３２は上方からの荷重を受けて緩やかに変形し縮むこととなる。これにより、床面に接触している脚２０の長さが小さくなり、やがて床面に接触していなかった脚２０の先端も床面に接触することとなる。そして、各脚にかかる荷重と、各アジャスター３０の粘弾性体３２の反発力とが釣り合ったところで安定する。この状態において、４本の脚２０の先端はすべて床に接触しており、粘弾性体３２は緩やかにしか変形しないのでアジャスター付きテーブルＸのがたつきは自動的に解消されることとなる。
【０００９】
なお、上記実施形態では４本の脚のすべてにアジャスターを設けているが、少なくとも、隣接する２本にアジャスターが設けられていれば足りる。また、脚を５本にする場合においは、少なくとも隣接する３本にアジャスターが設けられていればよい。なお、５本の脚の内の隣接する３本が直線状に配列される場合には、これらの３本の脚ではがだつきは通常発生しないので、少なくともこれらの脚を除く２本の脚にアジャスターが設けられてればよい。同様に脚が６本以上の場合でも、少なくとも、それだけでは安定しない一組の脚を除く脚の先端にアジャスターが設けられていれば足りる。
それから、脚や天板の材質や形状は上記の実施形態に例示したものに限られず種々のものを採用することができる。
【図面の簡単な説明】
【００１０】
【図１】実施形態に係るアジャスター付きテーブルを示す斜視図である。
【図２】実施形態に係るアジャスター付きテーブルの脚の先端近傍の拡大縦断面図である。
【符号の説明】
【００１１】
Ｘ  アジャスター付きテーブル
１０  天板
２０  脚
３０  アジャスター
３２  粘弾性体
【図１】
0003116289.tif 000003
【図２】
0003116289.tif 000004